(57)【要約】【課題】ランプカップ、ライトパネル、放熱板及び弾性支持板で構成される照明灯具を提供する。【解決手段】ランプカップ３１は、底部に開口部３１１が形成されており、内部に反射空間３１２を有し、頂部に光透過孔３１５が形成されている。開口部３１１、反射空間３１２、及び光透過孔３１５は互いに連通している。ライトパネル３３は、ランプカップ３１の頂部に定位されており、底面に光透過孔３１５に対応する少なくとも１つの発光ダイオード３３１が設置されている。放熱板３６は、埋込穴を通過可能な形状を有し、底部に第一接合部３１６に結合されている第二接合部３６１１が設けられている。弾性支持板３２は、弾性を有する板体が湾曲することで形成され、中間部３２１が放熱板３６に固定されており、左右の側部３２２がランプカップ３１に向いて湾曲している。【選択図】図３
2015191885.tif 000002
【特許請求の範囲】
【請求項１】
底部に開口部が形成されており、内部に反射空間を有し、頂部に光透過孔が形成されており、前記開口部、前記反射空間、及び前記光透過孔が互いに連通しており、前記開口部の周縁に外側に向いて放射状に延出する環状フランジが形成されており、前記光透過孔の周縁と接続する外壁に第一接合部が形成されており、前記環状フランジのみ外径が埋込穴の内径より大きく形成されているランプカップと、
前記ランプカップの頂部に定位されており、底面に前記光透過孔に対応する少なくとも１つの発光ダイオードが設置されており、頂面に少なくとも２本のピンが設置されており、２本の前記ピンが前記発光ダイオードに電気的に接続されているライトパネルと、
前記埋込穴を通過可能な形状を有し、底部に前記第一接合部に結合されている第二接合部が設けられており、前記ランプカップと一体となり、前記ライトパネルの前記ランプカップとは反対側に定位されている放熱板と、
弾性を有する板体が湾曲することで形成され、中間部が前記放熱板に固定されており、左右の側部が前記ランプカップに向いて湾曲しており、前記側部に弧状嵌合面が外側に向いて形成されており、前記弧状嵌合面の間の距離が前記埋込穴の内径より大きく形成されており、前記中間部の長さが前記埋込穴の内径より短く形成されており、前記側部の自由端が前記環状フランジの頂面に接続されている弾性支持板と、を備えることを特徴とする照明灯具。
【請求項２】
前記埋込穴に装設されているとき、
前記弧状嵌合面の外側表面が前記埋込穴の上側縁部に均等且つ緊密に当接することを特徴とする請求項１に記載の照明灯具。
【請求項３】
前記放熱板は、外側縁部に複数枚の放熱用フィンが設置されていることを特徴とする請求項２に記載の照明灯具。
【請求項４】
前記放熱板は、少なくとも１つの導線孔を有し、
前記導線孔は、前記ピンにそれぞれ電気的に接続されている電源コードを案内することを特徴とする請求項３に記載の照明灯具。
【請求項５】
前記弾性支持板の前記中間部は、前記放熱板の頂部或いは底部に固定されていることを特徴とする請求項１〜４の何れか１項に記載の照明灯具。
【請求項６】
前記放熱板は、底部に結合孔が形成されており、前記結合孔内に前記第二接合部が形成されていることを特徴とする請求項５に記載の照明灯具。
【請求項７】
前記ランプカップと前記放熱板とが一体に装設されており、
前記ライトパネルは、前記ランプカップと前記放熱板との間に固定されており、頂面が前記放熱板内の前記結合孔に対応する部位に貼付されていることを特徴とする請求項６に記載の照明灯具。
【請求項８】
前記放熱板は、最大外径が前記埋込穴の内径より小さく形成されていることを特徴とする請求項７に記載の照明灯具。
【請求項９】
底部に開口部が形成されており、内部に反射空間を有し、頂部に光透過孔が形成されており、前記開口部、前記反射空間、及び前記光透過孔が互いに連通しており、前記開口部の周縁に環状フランジが外側に向いて形成されており、前記光透過孔の周縁に第一接合部が形成されており、前記環状フランジの外径が埋込穴の内径より大きく形成されているランプカップと、
前記ランプカップの頂部に定位されており、底面に前記光透過孔に対応する少なくとも１つの発光ダイオードが設置されており、頂面に少なくとも２本のピンが設置されており、２本の前記ピンが前記発光ダイオードに電気的に接続されているライトパネルと、
前記埋込穴を通過可能な形状を有し、底部に前記第一接合部に結合されている第二接合部が設けられており、前記ランプカップと一体となり、前記ライトパネルの前記ランプカップとは反対側に定位されている放熱板と、
弾性を有する板体が湾曲することで形成され、一端が前記放熱板に固定されており、他端が前記ランプカップに向いて湾曲すると共に前記環状フランジに隣接する頂面まで延出し、外側に向いて形成されている弧状嵌合面を有し、前記弧状嵌合面の間の距離が前記埋込穴の内径より大きく形成されており、少なくとも２枚の弾性支持板とを備えることを特徴とする照明灯具。
【請求項１０】
前記埋込穴に装設されているとき、
前記弧状嵌合面の外側表面が前記埋込穴の上側縁部に均等且つ緊密に当接することを特徴とする請求項９に記載の照明灯具。
【請求項１１】
前記放熱板は、外縁部に複数枚の放熱用フィンが設置されていることを特徴とする請求項１０に記載の照明灯具。
【請求項１２】
前記放熱板は、少なくとも１つの導線孔を有し、
前記導線孔は、前記ピンにそれぞれ電気的に接続されている電源コードを案内することを特徴とする請求項１１に記載の照明灯具。
【請求項１３】
前記弾性支持板は、一端が前記放熱板の頂部、底部、或いは側壁に固定されていることを特徴とする請求項９〜１２の何れか１項に記載の照明灯具。
【請求項１４】
前記放熱板は、底部に結合孔が形成されており、前記結合孔内に前記第二接合部が形成されていることを特徴とする請求項１３に記載の照明灯具。
【請求項１５】
前記ランプカップと前記放熱板とが一体に装設されており、
前記ライトパネルは、前記ランプカップと前記放熱板との間に固定されており、頂面が前記放熱板内の前記結合孔に対応する部位に貼付されていることを特徴とする請求項１４に記載の照明灯具。
【請求項１６】
前記放熱板は、最大外径が前記埋込穴の内径より小さく形成されていることを特徴とする請求項１５に記載の照明灯具。
【発明の詳細な説明】
【技術分野】
【０００１】
本発明は、照明灯具に関し、詳しくは発光ダイオードが埋め込まれている照明灯具に関する。
【背景技術】
【０００２】
図１に示す従来の照明灯具１０は、シーリングライト（天井灯）と呼ばれている。つまり、天井１４に埋設される埋込穴１４１内に嵌装されている。照明灯具１０はランプカップ１１を備え、ランプカップ１１の底部には開口部１１１が形成され、且つ収納空間が内設されている。収納空間には発光部材(図示せず)が装設されている。ランプカップ１１の底部の周縁には環状フランジ１１３が外に向いて放射状に形成されている。ランプカップ１１の頂縁の側壁には２つの枢設部１１４が対称に設置されている。各枢設部１１４にはねじりばね１３が把持されている。各ねじりばね１３の一端は枢設部１１４を貫通してランプカップ１１の頂縁に固設されている。他端は外力を受けていない状態では、ねじりばね１３の弾性応力によりねじりばね１３の一端から離れる方向に回転する。これにより、ユーザーが前述の従来の発光ダイオードが埋め込まれている型照明灯具１０を埋込穴１４１内に装設する場合、先ずねじりばね１３の他端を引き、ねじりばね１３の他端をねじりばね１３の一端の方向へ回転させる。次に、ユーザーはランプカップ１１の頂部を埋込穴１４１内に埋め込み、ねじりばね１３に対する引張応力が解除されると、ねじりばね１３は弾性応力により他端をねじりばね１３の一端から離れる方向に回転され、天井１４の頂面に当接されて照明灯具１０に上への支持力を与える。また、照明灯具１０は支持力により埋込穴１４１内に定位され、環状フランジ１１３により埋込穴１４１とランプカップ１１の側壁との間の隙間を遮蔽する。
【先行技術文献】
【特許文献】
【０００３】
【特許文献１】特開２００５−２９３９９４号公報
【発明の概要】
【発明が解決しようとする課題】
【０００４】
しかしながら、前述した従来の照明灯具１０では、すなわち、照明灯具１０が埋込穴１４１内に装設されると、これらねじりばね１３の他端は弾性応力により天井１４の頂面に当接され、環状フランジ１１３は天井１４の頂面及び底面の対応する位置にそれぞれ挟持される。これにより、ユーザーは従来の照明灯具１０を埋込穴１４１から取り外す場合、先ず各ねじりばね１３の他端をねじり、ねじりばね１３の一端の方向に回転させ、これらねじりばね１３の照明灯具１０に対する支持力を解除させ、照明灯具１０を埋込穴１４１から取り外す。しかしながら、これらねじりばね１３が天井１４により遮断されてユーザーが接触できなくなると、照明灯具１０の取り外しが困難になった。照明灯具１０の埋込穴１４１の外に露出される部分(即ち、環状フランジ１１３)を強く引っ張り、これらねじりばね１３の一端に対し下に向け無理に引くことでねじりばね１３の他端が天井１４からの反作用力により上に向け反転させ、これらねじりばね１３の他端の照明灯具１０に対する支持力を解除させ、照明灯具１０を埋込穴１４１内から取り出せる。然しながら、環状フランジ１１３を強く引っ張ると、埋込穴１４１の孔縁の構造を破壊してしまい、取り外す際に大量の木屑や塵が発生した。また、ねじりばね１３の他端が埋込穴１４１の内縁表面から離れる瞬間、ねじりばね１３に累積した弾性応力により、ねじりばね１３の他端がねじりばね１３の一端から離れる方向へ猛烈な勢いで回転し、ユーザーが手指を挟み怪我をした。上述のように、従来の照明灯具１０は構造が複雑であるのみならず、製造コストも高く、取り付けにも労力がかかり、取り外し中に手指を挟んで怪我しやすく、埋込穴１４１に修理不能の損壊をもたらす等の問題があった。
【０００５】
前述の問題を鑑み、本発明者は図２に示す照明灯具構造を開発した。照明灯具２０はランプカップ２１及び少なくとも２枚の弾性支持板２２を備え、ランプカップ２１の底部には開口部２１１が設けられ、且つ収納空間２１２が内設され、収納空間２１２内には発光部材２３が装設される。発光部材２３は、発光ダイオードライトパネル、電球、白熱電球、蛍光灯、或いは他の発光灯である。ランプカップ２１の開口部２１１に隣接する周縁は放射状に沿い外に向け延出され、ランプカップ２１の底部の周縁には環状フランジ２１３が形成される。弾性支持板２２は弾性を有する金属板体が湾曲されることで形成され、これら弾性支持板２２の前段はランプカップ２１の側壁に対称に固設され、弾性支持板２２の中間部は上に向け延出され、末端は下に向け湾曲されて弾性支持板２２の後段が延出されて形成される。弾性支持板２２の後段と対応する中間部の末端との接線により挟角が形成される。これにより、照明灯具２０が天井２４に埋設される埋込穴２４１に取り付けられると、ユーザーはランプカップ２１の各弾性支持板２２の後段を押圧し、弾性支持板２２の前段と後段とを接近させる。続いて、ランプカップ２１の頂部を埋込穴２４１内に埋入させ、弾性支持板２２の押圧を解除させる。この際、弾性支持板２２は弾性応力の影響により弾性支持板２２の後段の外側表面をランプカップ２１の側壁から離れる方向に変位させ、埋込穴２４１の内縁の表面に緊迫して当接させる。照明灯具２０は弾性支持板２２の後段の外側表面と埋込穴２４１の内縁表面との間の摩擦力により、埋込穴２４１内に安定的に装設され、環状フランジ２１３は埋込穴２４１とランプカップ２１の側壁との間の隙間を遮蔽させる。
【０００６】
しかしながら、様々な高明度の発光ダイオードの製造コストが日々低下している中、発光ダイオードを発光部材として用い、環境保護及び節電を両立させる照明灯具が既に市場に浸透している。本発明者は、図２に示す構造を照明灯具の製造に応用させる際に、発光ダイオードの発光中に無視出来ない熱量が発生するのを発見し、しかも照明灯具２０のランプカップ２１が発光部材２３(即ち、発光ダイオードライトパネル或いは回路基板、さらにその上に配置される放熱板を含む)の頂側を完全に被覆させているため、ランプカップ２１は発光部材２３から発生する熱量を上手く排出できず、発光部材２３自体の温度も高温を維持し、長時間高温で使用され続けると、発光部材２３に重大な材質劣化及び光束減衰現象を引き起こし、耐用年数を大幅に短縮させた。
【０００７】
そこで、上記の欠点が改善可能と考え、多くの業者が多くの新型の照明灯具構造を設計したが、但しその多くは前述の２つの照明灯具の基本構造を引き継いでおり、更には放熱板を導入したために構造がより複雑化した。製造コストが高くなりすぎ、販売価格も一般消費者にとって受け入れ難く、これら照明灯具の体積及び重量も過大になり、装設に不便が伴った。また、市販の照明灯具は環境保護及び節電を謳ってはいるが、環境保護及び節電を実現しているとは言い難かった。
【０００８】
このため、革新的且つ簡易化された照明灯具を設計し、従来の照明灯具に存在する前述の諸問題を解決し、照明灯具を簡単且つ高速に装設させて一体にし、埋込穴に容易に取り付け(或いは取り外し)可能にし、高速放熱効果を更に実現させるかが、本発明が解決を求める重要な課題である。
【０００９】
本発明は、このような従来の問題に鑑みてなされたものである。上記の問題を解決するため、本発明は、発光ダイオードが埋め込まれている型照明灯具を提供することを主目的とする。
【課題を解決するための手段】
【００１０】
上述した課題を解決し、目的を達成するために、本発明に係る照明灯具は、ランプカップ、ライトパネル、放熱板、および弾性支持板を備える。ランプカップは、底部に開口部が形成されており、内部に反射空間を有し、頂部に光透過孔が形成されており、開口部、反射空間、及び光透過孔が互いに連通しており、開口部の周縁に外側に向いて放射状に延出する環状フランジが形成されており、光透過孔の周縁と接続する外壁に第一接合部が形成されており、環状フランジのみ外径が埋込穴の内径より大きく形成されている。ライトパネルは、ランプカップの頂部に定位されており、底面に光透過孔に対応する少なくとも１つの発光ダイオードが設置されており、頂面に少なくとも２本のピンが設置されており、２本のピンが発光ダイオードに電気的に接続されている。放熱板は、埋込穴を通過可能な形状を有し、底部に第一接合部に結合されている第二接合部が設けられており、ランプカップと一体となり、ライトパネルのランプカップとは反対側に定位されている。弾性支持板は、弾性を有する板体が湾曲することで形成され、中間部が放熱板に固定されており、左右の側部がランプカップに向いて湾曲しており、側部に弧状嵌合面が外側に向いて形成されており、弧状嵌合面の間の距離が埋込穴の内径より大きく形成されており、中間部の長さが埋込穴の内径より短く形成されており、側部の自由端が環状フランジの頂面に接続されている。
【００１１】
こうすると、ユーザーが天井に埋設される埋込穴に照明灯具を取り付ける際、指を環状フランジにかけ、照明灯具の頂部を埋込穴に合わせて照明灯具に対し天井の方向に力を施すことで埋込穴内に容易に取り付け可能になる。この際、ライトパネルは放熱板に接触され、放熱板はランプカップの頂部に完全に露出される。ライトパネルの発光ダイオードが発光中に発する大量の熱量が上に向け高速に且つスムーズに放熱板から排出されるため、発光ダイオードは最も好ましい動作温度を維持し、最も好ましい色温度を保持し、材質劣化及び光束減衰現象を防ぎ耐用年数を大幅に延ばす。このほか、照明灯具の構造は極めて簡易化され、体積及び重量を大きく減らすため、弾性支持板の側部の外縁に形成されるこれら弧状嵌合面が埋込穴上縁に当接されると、弾性支持板は僅かな弾性により埋込穴の上縁は照明灯具に対し上に向けての十分な反作用力を与え、照明灯具を安定的にバランスよく埋込穴に装設させる。反対に、ユーザーが天井から照明灯具を取り外す場合、指を環状フランジに掛けて下方向の力をかけると、弾性支持板の弾性及びこれら弧状嵌合面の弧度により、照明灯具はスムーズに埋込穴から離脱する。簡易な構造で、灯具の放熱及び簡単な折り畳みの目的を実現することができる。
【００１２】
また、本発明の他の目的は、弾性を有する板体が湾曲することで形成される少なくとも２枚の弾性支持板を備える。これら弾性支持板の一端は放熱板に固定され、他端はランプカップに向いて湾曲すると共に環状フランジに隣接する頂面まで延出する。これら弾性支持板からは弧状嵌合面がそれぞれ外側に向いて形成される。これら弧状嵌合面の間の距離は埋込穴の内径より大きく形成されている。
【００１３】
本発明によれば、従来の照明灯具に存在する前述の諸問題を解決することができるほか、簡単且つ高速に一体に装設可能であり、埋込穴に容易に取り付け(或いは取り外し)可能であり、高速放熱の効果が得られる。
【図面の簡単な説明】
【００１４】
【図１】従来の照明灯具を示す概略図である。
【図２】従来の照明灯具を示す概略図である。
【図３】本発明の第一実施形態による照明灯具を説明する断面模式図である。
【図４】本発明の第一実施形態による照明灯具を説明する組合せ図である。
【図５】本発明の第一実施形態による照明灯具を説明する上面図である。
【図６】本発明の第二実施形態による照明灯具を説明する組合せ図である。
【発明を実施するための形態】
【００１５】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１６】
（第一実施形態）
まず、本発明の簡易化された照明灯具の第一実施形態について説明する。なお、本発明の第一実施形態の構成を図３から図５に示す。図３に示すように、本発明の第一実施形態において、簡易化された照明灯具３０は、ランプカップ３１、ライトパネル３３、放熱板３６、及び弾性支持板３２を備える。ランプカップ３１の底部には開口部３１１が設けられ、ランプカップ３１内には反射空間３１２が形成され、ランプカップ３１の頂部には光透過孔３１５が設けられ、開口部３１１、反射空間３１２、及び光透過孔３１５は互いに連通される。ランプカップ３１の開口部３１１に隣接する周縁には放射状に沿い環状フランジ３１３が外に向け形成される。環状とは方形、円形、環状波形、或いは他の環状形状である。ランプカップ３１の光透過孔３１５に隣接する周縁には第一接合部３１６が形成され、第一接合部３１６は外ねじ或いは係止部である。図４によると、ランプカップ３１は環状フランジ３１３の外径が天井３４に埋設される埋込穴３４１の内径より大きい以外、残りの部位の外径はいずれも埋込穴３４１の内径より小さい。
【００１７】
続いて、ライトパネル３３はランプカップ３１の頂部に定位され、ライトパネル３３の底面には少なくとも１つの発光ダイオード３３１が設置され、発光ダイオード３３１は光透過孔３１５に対応する。ライトパネル３３の頂面には少なくとも２本のピン３３２が設置され、これらピン３３２は発光ダイオード３３１に電気的に接続されると共に発光ダイオード３３１に給電させ、発光ダイオード３３１を発光させる。光は光透過孔３１５を透過し、反射空間３１２で屈折及び反射され、開口部３１１の外に投射される。
【００１８】
放熱板３６の底部には結合孔３６１が開設され、結合孔３６１には内に向け第二接合部３６１１が形成され、第二接合部３６１１は内ねじ或いは係止溝であり、第一接合部３１６に接合され、ランプカップ３１及び放熱板３６が装設されて一体になる。ライトパネル３３はランプカップ３１と放熱板３６との間に定位され、ライトパネル３３の頂面は放熱板３６内の結合孔３６１に対応する部位に貼付される（図３及び図４参照）。放熱板３６の外縁には放射状に沿い複数枚の放熱用フィン３６３が設置され、放熱板３６の放熱面積を増加させる（図３、図４及び図５参照）。さらに、放熱板３６には少なくとも１つの導線孔３６２が更に開設され、導線(図示せず)は導線孔３６２を通してこれらピン３３２にそれぞれ電気的に接続され、これらピン３３２に給電させる。放熱板３６は埋込穴３４１を通過可能な形状であり、最大外径は埋込穴３４１の内径より小さいのが最も好ましい（図３及び図５参照）。
【００１９】
図３、図４及び図５に示すように、弾性支持板３２は弾性を有する板体が湾曲されることで形成される。弾性支持板３２の中間部３２１は放熱板３６の頂部或いは底部に固定され、弾性支持板３２の側部３２２はランプカップ３１の方向にそれぞれ湾曲し、且つ弧状嵌合面３２２１がそれぞれ外に向け形成される。これら弧状嵌合面３２２１間の対応する距離は埋込穴３４１の内径より大きく、弾性支持板３２の中間部３２１の長さは埋込穴３４１の内径より短く、弾性支持板３２の側部３２２の対応する自由端は環状フランジ３１３の頂面に隣接する。
【００２０】
ユーザーが照明灯具３０を天井３４に埋設される埋込穴３４１に取り付ける場合、指を環状フランジ３１３にかけ、照明灯具３０の頂部を埋込穴３４１に合わせ、照明灯具３０に天井３４の方向に力をかけるのみで埋込穴３４１に取り付可能になる（図４参照）。この時に、図３に示すように、ライトパネル３３は放熱板３６に接触し、放熱板３６の外縁はランプカップ３１の頂部に完全に露出され、ライトパネル３３の発光ダイオード３３１が発光中所に発する大量の熱エネルギーは、放熱板３６から高速且つスムーズに排出され、発光ダイオード３３１は最も好ましい動作温度を維持させ、最も好ましい色温度を保持するのみならず、材質劣化及び光束減衰現象を有効的に防止させ、耐用年数を大幅に延ばす。なお、弾性支持板３２の側部３２２の外縁のこれら弧状嵌合面３２２１は埋込穴３４１の上縁に当接されるため、照明灯具３０は安定的にバランスよく埋込穴３４１に取り付けられるのみならず、環状フランジ３１３の外径が埋込穴３４１の内径より大きいため、環状フランジ３１３は埋込穴３４１の孔縁の耳、及び埋込穴３４１の内壁とランプカップ３１の外壁との間の隙間を遮蔽させ、装飾効果を発揮する。反対に、ユーザーが天井３４から照明灯具３０を取り外す場合、指を環状フランジ３１３にかけて下に向け力をかけると、弾性支持板３２の弾性及びこれら弧状嵌合面３２２１の弧度により、照明灯具３０は埋込穴３４１から簡単に離脱する。簡易な構造を達成させて灯具の放熱及び簡単な折り畳みという本発明の目的を実現させる。
【００２１】
この好ましい実施形態では、弾性支持板３２の中間部３２１は少なくとも１つのねじ３７により放熱板３６の頂部に固定される（図３、図４及び図５参照）。しかしながら、本発明の他の実施形態ではこれに限らず、弾性支持板３２の中間部３２１はリベット、係合、或いは溶接等の方式により放熱板３６の底部或いは側壁に固設されてもよい。
【００２２】
（第二実施形態）
図６は本発明の第二実施形態による簡易化された照明灯具を説明する組合せ図である。この好ましい実施形態では、照明灯具は少なくとも２枚の弾性支持板４２を備え、各弾性支持板４２は弾性を有する板体がそれぞれ湾曲されることで形成され、一端は放熱板４６の頂部(或いは底部や側壁)に固定され、他端はランプカップ４１の方向に湾曲され、環状フランジ４１３に隣接する頂面まで延出される。これら弾性支持板４２には弧状嵌合面４２２１がそれぞれ外に向け形成され、これら弧状嵌合面４２２１間の対応する距離は埋込穴４４１の内径より大きい。
【００２３】
上述したように、弾性支持板３２及び弾性支持板４２の自由端は環状フランジ３１３及び環状フランジ４１３に隣接する頂面まで延出される。照明灯具３０及び照明灯具４０が埋込穴３４１及び埋込穴４４１に取り付けられ、これら弧状嵌合面３２２１及び弧状嵌合面４２２１が埋込穴３４１及び埋込穴４４１の下縁に接触すると、材料の弾性によりランプカップ３１及びランプカップ４１の方向に圧縮されて変形し、埋込穴３４１及び埋込穴４４１をスムーズに通過した後、原状を回復する。この際、これら弧状嵌合面３２２１間及び弧状嵌合面４２２１間の対応する距離は埋込穴３４１及び埋込穴４４１の内径より大きいため、これら弧状嵌合面３２２１及び弧状嵌合面４２２１の弾性支持板３２及び弾性支持板４２の自由端に隣接する部位は弾性支持板３２及び弾性支持板４２の弾性により、埋込穴３４１及び埋込穴４４１の上縁に均等に緊迫して当接され、埋込穴３４１及び埋込穴４４１の上縁は照明灯具３０及び照明灯具４０に対し上に向けての反作用力を施す。上に向けての反作用力の大きさは簡易化された照明灯具３０及び照明灯具４０の重量を支えるのに十分であり、照明灯具３０及び照明灯具４０は安定的に且つバランスよく埋込穴３４１及び埋込穴４４１内に定位される。即ち、弧状嵌合面３２２１及び弧状嵌合面４２２１の弧度及び弾性支持板３２及び弾性支持板４２の長さは天井３４及び天井４４の厚さ並びに埋込穴３４１及び埋込穴４４１の孔径に適合するため、埋込穴３４１及び埋込穴４４１の上縁は照明灯具３０及び照明灯具４０に対し上に向けての反作用力を施し、照明灯具３０及び照明灯具４０の重量を十分に支持可能になる（図４及び図６参照）。
【００２４】
反対に、図４及び図６に示すように、ユーザーが照明灯具３０及び照明灯具４０を埋込穴３４１及び埋込穴４４１内から取り外す場合、指を環状フランジ３１３及び環状フランジ４１３にかけて下に向け力を施すと、これら弧状嵌合面３２２１及びこれら弧状嵌合面４２２１の埋込穴３４１及び埋込穴４４１の上縁に接触される部位は材料の弾性により、ランプカップ３１及びランプカップ４１の方向に圧縮されて変形し、埋込穴３４１及び埋込穴４４１をスムーズに通過した後、原状を回復する。埋込穴３４１及び埋込穴４４１の下縁をスムーズに押し、埋込穴３４１及び埋込穴４４１の下縁は照明灯具３０及び照明灯具４０に対し下に向けての反作用力を施し、下に向けての反作用力により照明灯具３０及び照明灯具４０は埋込穴３４１及び埋込穴４４１から簡単に離脱し、ユーザーは取り外せる。
【００２５】
以上、本発明の実施形態について図面を参照して詳述したが、具体的な構成はこの実施形態に限られるものではなく、本発明の要旨を逸脱しない範囲の設計変更等も含まれる。
【符号の説明】
【００２６】
３０  照明灯具、
３１  ランプカップ、
３１１  開口部、
３１２  反射空間、
３１３  環状フランジ、
３１５  光透過孔、
３１６  第一接合部、
３２  弾性支持板、
３２１  中間部、
３２２  側部、
３２２１  弧状嵌合面、
３３  ライトパネル、
３３１  発光ダイオード、
３３２  ピン、
３４  天井、
３４１  埋込穴、
３６  放熱板、
３６１  結合孔、
３６１１  第二接合部、
３６２  導線孔、
３６３  放熱用フィン、
３７  ねじ、
４０  照明灯具、
４１  ランプカップ、
４１３  環状フランジ、
４２  弾性支持板、
４２２１  弧状嵌合面、
４４  天井、
４４１  埋込穴、
４６  放熱板。
【図１】
2015191885.tif 000003
【図２】
2015191885.tif 000004
【図３】
2015191885.tif 000005
【図４】
2015191885.tif 000006
【図５】
2015191885.tif 000007
【図６】
2015191885.tif 000008